(57)【要約】【課題】利便性を向上させることができるようにする。【解決手段】無線アダプタ１が記憶する複数種類のドライバ・ソフトウェアのうち、ユーザが選択したドライバ・ソフトウェアが汎用パーソナルコンピュータ２にインストールされる。また、無線アダプタ１が記憶する複数種類のプロファイルのうち、ユーザが選択したプロファイルが汎用パーソナルコンピュータ２に設定される。【選択図】図１
2010072724.tif 000002
【特許請求の範囲】
【請求項１】
無線通信を行う機能を汎用パーソナルコンピュータに提供する無線アダプタであって、
前記汎用パーソナルコンピュータに電気的に接続可能な接続手段と、
前記接続手段に接続された前記汎用パーソナルコンピュータに自己をメモリ装置として認識させる認識手段と、
複数種類のドライバ・ソフトウェアを記憶するドライバ記憶手段と、
前記接続手段に接続された前記汎用パーソナルコンピュータにおいて、前記ドライバ記憶手段が記憶する前記複数種類のドライバ・ソフトウェアのいずれかを選択させるプログラムを実行させるドライバ選択実行手段と、
選択されたドライバ・ソフトウェアを前記汎用パーソナルコンピュータに導入させる導入手段と、
セキュリティに関する複数種類のプロファイルを記憶するプロファイル記憶手段と、
前記接続手段に接続され、前記ドライバ・ソフトウェアが導入された前記汎用パーソナルコンピュータにおいて、前記プロファイル記憶手段が記憶する前記複数種類のプロファイルのいずれかを選択させるプログラムを実行させるプロファイル選択実行手段と、
選択されたプロファイルを前記汎用パーソナルコンピュータに設定する設定手段と、
を有することを特徴とする無線アダプタ。
【請求項２】
任意のプロファイルを格納可能な格納手段と、
前記設定手段が前記汎用パーソナルコンピュータに設定したプロファイルを前記格納手段に格納させる格納制御手段と、
を更に有し、
前記プロファイル選択実行手段は、前記格納手段が格納するプロファイルと、前記複数種類のプロファイルのいずれかとのどちらかを選択させるプログラムを前記汎用パーソナルコンピュータにおいて実行させることを特徴とする請求項１に記載の無線アダプタ。
【請求項３】
所定の条件に基づいて、前記プロファイル記憶手段が記憶する前記複数種類のプロファイルに優先順位を設定する順位設定手段を更に有し、
前記プロファイル選択実行手段は、前記順位設定手段が設定した前記優先順位において上位に位置するプロファイルが優先的に選択されるようにするプログラムを前記汎用パーソナルコンピュータにおいて実行させることを特徴とする請求項１又は２に記載の無線アダプタ。
【発明の詳細な説明】
【技術分野】
【０００１】
本発明は、無線通信を行う機能を汎用パーソナルコンピュータに提供する無線アダプタに関する。
【背景技術】
【０００２】
従来、無線ＬＡＮを構築する際に、無線アダプタのドライバ・ソフトウェアを汎用パーソナルコンピュータにインストールする必要がある。また、無線ＬＡＮにおけるセキュリティを強化するために、プロファイルを汎用パーソナルコンピュータに設定して通信データを暗号化する必要がある。しかし、これらの作業は煩雑であり、特に無線ＬＡＮの規模が大きくなるほど、作業の負担が大きくなる。
【０００３】
そこで、特許文献１には、汎用パーソナルコンピュータにドライバ・ソフトウェアをインストールする際に、ＵＳＢ無線アダプタをメモリ装置として汎用パーソナルコンピュータに認識させ、ＵＳＢ無線アダプタ内に設けられたメモリに格納されたドライバ・ソフトウェアを、自動実行プログラムによって汎用パーソナルコンピュータに導入させることが開示されている。また、ドライバ・ソフトウェアを導入させた際に、セキュリティの設定を要求することが開示されている。
【０００４】
【特許文献１】特開２００５−３４１３１５号公報
【発明の開示】
【発明が解決しようとする課題】
【０００５】
しかしながら、特許文献１においては、汎用パーソナルコンピュータにインストールされるドライバ・ソフトウェアが決まっているために、汎用パーソナルコンピュータの動作環境によっては、動作が悪くなったり、正しく動作しなかったりする場合が想定される。また、特許文献１においては、プロファイルの設定が要求されると、ユーザは個別にＩＤやパスワードなどを入力してプロファイルを設定する必要があり、依然として煩雑である。よって、利便性を向上させることが望まれる。
【０００６】
本発明の目的は、利便性を向上させることが可能な無線アダプタを提供することである。
【課題を解決するための手段及び効果】
【０００７】
本発明の無線アダプタは、無線通信を行う機能を汎用パーソナルコンピュータに提供する無線アダプタであって、前記汎用パーソナルコンピュータに電気的に接続可能な接続手段と、前記接続手段に接続された前記汎用パーソナルコンピュータに自己をメモリ装置として認識させる認識手段と、複数種類のドライバ・ソフトウェアを記憶するドライバ記憶手段と、前記接続手段に接続された前記汎用パーソナルコンピュータにおいて、前記ドライバ記憶手段が記憶する前記複数種類のドライバ・ソフトウェアのいずれかを選択させるプログラムを実行させるドライバ選択実行手段と、選択されたドライバ・ソフトウェアを前記汎用パーソナルコンピュータに導入させる導入手段と、セキュリティに関する複数種類のプロファイルを記憶するプロファイル記憶手段と、前記接続手段に接続され、前記ドライバ・ソフトウェアが導入された前記汎用パーソナルコンピュータにおいて、前記プロファイル記憶手段が記憶する前記複数種類のプロファイルのいずれかを選択させるプログラムを実行させるプロファイル選択実行手段と、選択されたプロファイルを前記汎用パーソナルコンピュータに設定する設定手段と、を有することを特徴とする。
【０００８】
上記の構成によれば、複数種類のドライバ・ソフトウェアのうち、ユーザが選択したドライバ・ソフトウェアが汎用パーソナルコンピュータに導入されるから、最適なドライバ・ソフトウェアを選択して汎用パーソナルコンピュータにインストールさせることができる。また、複数種類のプロファイルのうち、ユーザが選択したプロファイルが汎用パーソナルコンピュータに設定されるから、ユーザが個別にＩＤやパスワードなどを入力してプロファイルを設定する必要がない。これにより、利便性を向上させることができる。
【０００９】
また、本発明の無線アダプタにおいては、任意のプロファイルを格納可能な格納手段と、前記設定手段が前記汎用パーソナルコンピュータに設定したプロファイルを前記格納手段に格納させる格納制御手段と、を更に有し、前記プロファイル選択実行手段は、前記格納手段が格納するプロファイルと、前記複数種類のプロファイルのいずれかとのどちらかを選択させるプログラムを前記汎用パーソナルコンピュータにおいて実行させてよい。上記の構成によれば、前回、汎用パーソナルコンピュータに設定されたプロファイルが格納手段に格納され、次回のプロファイルの選択時に、格納手段が格納するプロファイルが選択可能となる。これにより、前回と同じプロファイルを設定する場合に、その選択が容易となるから、更に利便性を向上させることができる。
【００１０】
また、本発明の無線アダプタにおいては、所定の条件に基づいて、前記プロファイル記憶手段が記憶する前記複数種類のプロファイルに優先順位を設定する順位設定手段を更に有し、前記プロファイル選択実行手段は、前記順位設定手段が設定した前記優先順位において上位に位置するプロファイルが優先的に選択されるようにするプログラムを前記汎用パーソナルコンピュータにおいて実行させてよい。上記の構成によれば、所定の条件に基づいて、複数種類のプロファイルに優先順位が設定され、優先順位において上位に位置するプロファイルが優先的に選択されるようにされる。例えば、利用頻度が高い順に優先順位が設定され、利用頻度が高いプロファイルが優先的に選択されるようにされると、プロファイルの選択が容易となる場合があるから、更に利便性を向上させることができる。
【発明を実施するための最良の形態】
【００１１】
本発明の実施の形態を図１ないし図７に基づいて以下に説明する。
【００１２】
（無線アダプタ１の構成）
本実施の形態にかかる無線アダプタ１は、図１に示すように、汎用パーソナルコンピュータ２に設けられたＵＳＢ（ユニバーサル・シリアル・バス）ポートに電気的に接続可能な接続手段としてのＵＳＢ端子４２を有し、ＵＳＢポートに接続された場合には、無線ルータ３との間でＩＥＥＥ８０２．１１等により無線通信を行う機能を汎用パーソナルコンピュータ２に提供するものである。
【００１３】
また、無線アダプタ１は、複数種類のドライバ・ソフトウェアおよび複数種類のプロファイルを記憶するＲＡＭ３５（図示せず）を内蔵している。更に、無線アダプタ１は、ＳＤメモリーカード（松下電器産業（株）、ＳａｎＤｉｓｋ  Ｃｏｒｐｏｒａｔｉｏｎ、（株）東芝の登録商標）等のメモリカード４が挿抜されるカードスロット４３，４４を有している。カードスロット４３，４４に挿入されたメモリカード４は、無線通信時のバッファとして使用されるようにされている。そして、メモリカード４が無線通信時に記憶したデータは、メモリカード４が他の電子機器（例えば、携帯電話端末、汎用パーソナルコンピュータ）に挿入されることにより、他の電子機器において利用可能にされている。
【００１４】
無線ルータ３は、ＡＤＳＬ（Asymmetric Digital Subscriber Line）モデム７８及びスプリッタ８０を介してアナログ公衆電話網（Public Switched Telephone Network：ＰＳＴＮ）８１に接続されており（図３参照）、ＰＳＴＮ８１に接続されているゲートウェイ装置（ＧＷ）８２等を介してインターネット等のネットワークに接続されている（図３参照）。
【００１５】
このような無線アダプタ１が、無線通信機能が提供されていない汎用パーソナルコンピュータ２に接続されると、無線アダプタ１は、メモリ装置として汎用パーソナルコンピュータ２に認識されるようにされている。
【００１６】
汎用パーソナルコンピュータ２によって、無線アダプタ１がメモリ装置として認識されると、汎用パーソナルコンピュータ２において、無線アダプタ１のＲＡＭ３５が記憶する複数種類のドライバ・ソフトウェアのいずれかをユーザに選択させるプログラムが実行される。これにより、図２（ａ）に示すように、汎用パーソナルコンピュータ２の表示部６４に、汎用パーソナルコンピュータ２にインストールさせるドライバ・ソフトウェアを選択させる画面２１が表示される。画面２１においては、複数種類のドライバ・ソフトウェアが一覧表示される。そして、ユーザによって選択されたドライバ・ソフトウェアが、無線アダプタ１を無線アダプタとして動作させるドライバ・ソフトウェアとして汎用パーソナルコンピュータ２にインストールされることとなる。
【００１７】
また、ドライバ・ソフトウェアのインストール後に、汎用パーソナルコンピュータ２において、無線アダプタ１のＲＡＭ３５が記憶する複数種類のプロファイルのいずれかをユーザに選択させるプログラムが実行される。これにより、図２（ｂ）に示すように、汎用パーソナルコンピュータ２の表示部６４に、汎用パーソナルコンピュータ２に設定するプロファイルを選択させる画面２２が表示される。そして、ユーザによって選択されたプロファイルが、無線通信を行う上でのセキュリティとして汎用パーソナルコンピュータ２に設定されることとなる。
【００１８】
このように、複数種類のドライバ・ソフトウェアのうち、ユーザが選択したドライバ・ソフトウェアが汎用パーソナルコンピュータ２に導入されるから、最適なドライバ・ソフトウェアを選択して汎用パーソナルコンピュータ２にインストールさせることができる。また、複数種類のプロファイルのうち、ユーザが選択したプロファイルが汎用パーソナルコンピュータ２に設定されるから、ユーザが個別にＩＤやパスワードなどを入力してプロファイルを設定する必要がない。これにより、利便性を向上させることができる。
【００１９】
ここで、画面２２には、無線アダプタ１のＲＡＭ３５が記憶する複数種類のプロファイルのいずれかを選択させるウインドウ２２ａと、無線アダプタ１のＲＡＭ３５に一時的に格納されているプロファイルを選択させるウインドウ２２ｂとが表示される。
【００２０】
ウインドウ２２ａにおいては、複数種類のプロファイルが、過去における利用頻度が高い順に上から下に向かって一覧表示される。即ち、「ｄ−２４」のプロファイルが過去に最も利用頻度が高かったプロファイルであり、「ｆ−９７」のプロファイルが、その次に利用頻度が高かったプロファイルである。このように、複数種類のプロファイルに利用頻度に基づいた優先順位が設定されるようにされている。そして、過去に利用頻度が高かったプロファイルがウインドウ２２ａの上位に表示されることによって、優先的に選択されるようにされている。なお、利用頻度が低いプロファイルは、ウインドウ２２ａをスクロールさせなければ表示されない。
【００２１】
このように、利用頻度に基づいた優先順位において上位に位置するプロファイルが優先的に選択されるようにされると、プロファイルの選択が容易となる場合があるから、更に利便性を向上させることができる。
【００２２】
また、ウインドウ２２ｂに表示されているプロファイルは、無線アダプタ１のＲＡＭ３５に一時的に格納されているプロファイルであって、前回のプロファイル設定時に別の汎用パーソナルコンピュータに設定されたプロファイルである。よって、前回と同じプロファイルを今回の汎用パーソナルコンピュータ２に設定する場合には、ウインドウ２２ｂに表示されているプロファイルを選択すればよい。
【００２３】
このように、前回、汎用パーソナルコンピュータ２に設定されたプロファイルがＲＡＭ３５に格納され、次回のプロファイルの選択時に、ＲＡＭ３５が格納するプロファイルが選択可能となる。これにより、前回と同じプロファイルを設定する場合に、その選択が容易となるから、更に利便性を向上させることができる。
【００２４】
（無線アダプタ１の電気的構成）
無線アダプタ１は、図３に示すように、制御回路３１によって動作が制御されている。図３に示す制御回路３１は、回路基板上に配置されたマイクロコンピュータ３２を主たる構成要素とし、これに各種回路を加えて構成されている。マイクロコンピュータ３２は、予め設定されたプログラムに従って制御動作を行うＣＰＵ３３と、ＲＯＭ３４と、ＲＡＭ３５とを有している。
【００２５】
ＣＰＵ３３には、アンテナ４１を介して各種データの送受信を行う送受信部３７、送受信部３７が受信したデータを復調する一方、送受信部３７が送信するデータを変調する変復調回路３６、カードスロット４３，４４に挿入されたメモリカード４との間で通信を行うカード用通信回路３８，３９、および、ＵＳＢ端子４２との間で通信を行うＵＳＢ通信回路４０が接続されている。
【００２６】
ドライバ記憶手段としてのＲＡＭ３５には、複数種類のドライバ・ソフトウェアが記憶されている。また、プロファイル記憶手段としてのＲＡＭ３５には、セキュリティに関する複数種類のプロファイルが記憶されている。また、格納手段としてのＲＡＭ３５には、前回のプロファイル設定時に設定されたプロファイルが一時的に格納される。
【００２７】
ＲＯＭ３４には、汎用パーソナルコンピュータ２において実行させる各種プログラムが記憶されている。具体的には、ＲＯＭ３４には、ＲＡＭ３５が記憶する複数種類のドライバ・ソフトウェアのいずれかを選択させるプログラムや、ＲＡＭ３５が記憶する複数種類のプロファイルのいずれかを選択させるプログラム、優先順位において上位に位置するプロファイルが優先的に選択されるようにするプログラムが記憶されている。
【００２８】
ＣＰＵ３３は、アンテナ４１を介して送受信部３７が無線ルータ３から受信したデータを変復調回路３６で復調させて、ＵＳＢ通信回路４０からＵＳＢ端子４２を介して汎用パーソナルコンピュータ２に出力させる。また、ＣＰＵ３３は、汎用パーソナルコンピュータ２からＵＳＢ端子４２を介してＵＳＢ通信回路４０に入力されたデータを変復調回路３６で変調させて、アンテナ４１を介して送受信部３７から無線ルータ３に送信させる。
【００２９】
また、ＣＰＵ３３は、無線ルータ３から受信したデータをカード用通信回路３８，３９により、バッファとしてのメモリカード４に書き込ませ、メモリカード４に書き込まれたデータをカード用通信回路３８，３９により読み出させて、汎用パーソナルコンピュータ２に出力させる。
【００３０】
また、認識手段としてのＣＰＵ３３は、ＵＳＢ端子４２に接続された汎用パーソナルコンピュータ２に自己をメモリ装置として認識させる。また、ドライバ選択実行手段としてのＣＰＵ３３は、ＵＳＢ端子４２に接続された汎用パーソナルコンピュータ２において、ＲＡＭ３５が記憶する複数種類のドライバ・ソフトウェアのいずれかを選択させるプログラムを実行させる。また、導入手段としてのＣＰＵ３３は、選択されたドライバ・ソフトウェアを汎用パーソナルコンピュータ２に導入させる。
【００３１】
また、順位設定手段としてのＣＰＵ３３は、利用頻度（所定の条件）に基づいて、ＲＡＭ３５が記憶する複数種類のプロファイルに優先順位を設定する。また、プロファイル選択実行手段としてのＣＰＵ３３は、ＵＳＢ端子４２に接続され、ドライバ・ソフトウェアが導入された汎用パーソナルコンピュータ２において、ＲＡＭ３５が記憶する複数種類のプロファイルのいずれかと、ＲＡＭ３５が一時的に格納するプロファイルとのどちらかを選択させるとともに、優先順位において上位に位置するプロファイルが優先的に選択されるようにするプログラムを実行させる。また、格納制御手段としてのＣＰＵ３３は、汎用パーソナルコンピュータ２に設定したプロファイルをＲＡＭ３５に格納させる。また、設定手段としてのＣＰＵ３３は、選択されたプロファイルを汎用パーソナルコンピュータ２に設定する。
【００３２】
（汎用パーソナルコンピュータ２の電気的構成）
汎用パーソナルコンピュータ２は、図３に示すように、制御回路５１によって動作が制御されている。図３に示す制御回路５１は、回路基板上に配置されたマイクロコンピュータ５２を主たる構成要素とし、これに各種回路を加えて構成されている。マイクロコンピュータ５２は、予め設定されたプログラムに従って制御動作を行うＣＰＵ５３と、ＲＯＭ５４と、ＲＡＭ５５と、ＨＤＤ（ハードディスクドライブ）５６とを有している。
【００３３】
ＣＰＵ５３には、ＵＳＢポート６２との間で通信を行うＵＳＢ通信回路５７、キーボードやマウス等の入力部６３からの各種信号が入力されるインターフェイス回路５８、液晶パネル等の表示部６４の表示を制御する表示制御回路５９、および、増幅器としてのパワーアンプ６１を介してスピーカ６５から出力させる音を制御する音源ＩＣ６０が接続されている。
【００３４】
（無線ルータ３の電気的構成）
無線ルータ３は、図３に示すように、制御回路７１によって動作が制御されている。図３に示す制御回路７１は、回路基板上に配置されたマイクロコンピュータ７２を主たる構成要素とし、これに各種回路を加えて構成されている。マイクロコンピュータ７２は、予め設定されたプログラムに従って制御動作を行うＣＰＵ７３と、ＲＯＭ７４と、ＲＡＭ７５とを有している。
【００３５】
ＣＰＵ７３には、アンテナ７９を介して各種データの送受信を行う送受信部７７、送受信部７７が受信したデータを復調する一方、送受信部７７が送信するデータを変調する変復調回路７６、および、ＡＤＳＬモデム７８が接続されている。
【００３６】
（無線アダプタ１の動作）
上記の構成において、図４に示すメイン処理ルーチンを参照して、無線アダプタ１の動作について説明する。
【００３７】
（メイン処理ルーチン）
無線アダプタ１の動作であるメイン処理ルーチンが実行されると、図４に示すように、無線アダプタ１のＣＰＵ３３は、汎用パーソナルコンピュータ（ＰＣ）２のＵＳＢポート６２に接続されているか否かを判定する（Ｓ１）。ＵＳＢポート６２に接続されていないと判定した場合には（Ｓ１：ＮＯ）、ステップＳ１に戻る。一方、ＵＳＢポート６２に接続されていると判定した場合には（Ｓ１：ＹＥＳ）、無線ルータ３との間で無線通信が可能であるか否かを判定する（Ｓ２）。
【００３８】
無線ルータ３との間で無線通信が可能でないと判定した場合には（Ｓ２：ＮＯ）、自己をメモリ装置としてＰＣ２に認識させ（Ｓ３）、ドライバインストール処理を行う（Ｓ４）。ドライバインストール処理については後述する。その後、無線ルータ３との間で無線通信が可能であるか否かを判定し（Ｓ５）、無線ルータ３との間で無線通信が可能でないと判定した場合には（Ｓ５：ＮＯ）、ステップＳ４に戻る。一方、無線ルータ３との間で無線通信が可能であると判定した場合には（Ｓ５：ＹＥＳ）、プロファイル設定処理を行う（Ｓ６）。プロファイル設定処理については後述する。その後、ステップＳ１に戻る。
【００３９】
ステップＳ２において、無線ルータ３との間で無線通信が可能であると判定した場合には（Ｓ２：ＹＥＳ）、自己を無線アダプタとしてＰＣ２に認識させ（Ｓ７）、バッファ処理を行う（Ｓ８）。バッファ処理については後述する。その後、ステップＳ１に戻る。
【００４０】
（ドライバインストール処理ルーチン）
メイン処理ルーチンにおいて、ドライバインストール処理ルーチンが実行されると、図５に示すように、無線アダプタ１のＣＰＵ３３は、ＰＣ２の表示部６４において複数種類のドライバ・ソフトウェアを一覧表示させる（Ａ１）。そして、いずれかのドライバ・ソフトウェアが選択されたか否かを判定し（Ａ２）、いずれかのドライバ・ソフトウェアが選択されていないと判定した場合には（Ａ２：ＮＯ）、ステップＡ２を繰り返す。一方、いずれかのドライバ・ソフトウェアが選択されたと判定した場合には（Ａ２：ＹＥＳ）、選択されたドライバ・ソフトウェアをＰＣ２にインストールし（Ａ３）、本ルーチンを終了する。
【００４１】
このように、複数種類のドライバ・ソフトウェアのうち、ユーザが選択したドライバ・ソフトウェアが汎用パーソナルコンピュータ２に導入されるから、最適なドライバ・ソフトウェアを選択して汎用パーソナルコンピュータ２にインストールさせることができる。これにより、利便性を向上させることができる。
【００４２】
（プロファイル設定処理ルーチン）
メイン処理ルーチンにおいて、プロファイル設定処理ルーチンが実行されると、図６に示すように、無線アダプタ１のＣＰＵ３３は、ＲＡＭ３５に前回のプロファイルが格納されているか否かを判定する（Ｂ１）。ＲＡＭ３５に前回のプロファイルが格納されていると判定した場合には（Ｂ１：ＹＥＳ）、ＲＡＭ３５に格納されているプロファイルをＰＣ２の表示部６４に表示させる（Ｂ２）。
【００４３】
ステップＢ１において、ＲＡＭ３５に前回のプロファイルが格納されていないと判定した場合（Ｂ１：ＮＯ）、又は、ステップＢ２の後に、ＲＡＭ３５が記憶する複数種類のプロファイルを利用頻度に基づいた優先順位でＰＣ２の表示部６４に一覧表示させる（Ｂ３）。そして、いずれかのプロファイルが選択されたか否かを判定する（Ｂ４）。
【００４４】
いずれかのプロファイルが選択されていないと判定した場合には（Ｂ４：ＮＯ）、ステップＢ４を繰り返す。一方、いずれかのプロファイルが選択されたと判定した場合には（Ｂ４：ＹＥＳ）、選択されたプロファイルをＰＣ２に設定し（Ｂ５）、選択されたプロファイルをＲＡＭ３５に格納し（Ｂ６）、選択されたプロファイルを無線ルータ３に送信することによって、無線ルータ３においてこのプロファイルを設定させる（Ｂ７）。そして、本ルーチンを終了する。
【００４５】
このように、複数種類のプロファイルのうち、ユーザが選択したプロファイルが汎用パーソナルコンピュータ２に設定されるから、ユーザが個別にＩＤやパスワードなどを入力してプロファイルを設定する必要がない。これにより、利便性を向上させることができる。
【００４６】
また、利用頻度に基づいた優先順位において上位に位置するプロファイルが優先的に選択されるようにされると、プロファイルの選択が容易となる場合があるから、更に利便性を向上させることができる。
【００４７】
また、前回、汎用パーソナルコンピュータ２に設定されたプロファイルがＲＡＭ３５に格納され、次回のプロファイルの選択時に、ＲＡＭ３５が格納するプロファイルが選択可能となる。これにより、前回と同じプロファイルを設定する場合に、その選択が容易となるから、更に利便性を向上させることができる。
【００４８】
（バッファ処理ルーチン）
メイン処理ルーチンにおいて、バッファ処理ルーチンが実行されると、図７に示すように、無線アダプタ１のＣＰＵ３３は、無線ルータ３からデータを受信し（Ｃ１）、メモリカード４が接続されているか否かを判定する（Ｃ２）。メモリカード４が接続されていないと判定した場合には（Ｃ２：ＮＯ）、データをＰＣ２に出力して（Ｃ３）、本ルーチンを終了する。
【００４９】
一方、メモリカード４が接続されていると判定した場合には（Ｃ２：ＹＥＳ）、データをメモリカード４に書き込み（Ｃ４）、その後、メモリカード４に書き込まれたデータを読み出して、ＰＣ２に出力し（Ｃ５）、本ルーチンを終了する。このように、メモリカード４をバッファとして利用することにより、メモリカード４にデータが書き込まれる。よって、メモリカード４を無線アダプタ１から取り外して、他の電子機器（携帯電話端末、汎用ＰＣ）に挿入することによって、データを他の電子機器において利用することが可能となる。
【００５０】
（本実施の形態の概要）
以上のように、本実施の形態の無線アダプタ１は、無線通信を行う機能を汎用パーソナルコンピュータ２に提供する無線アダプタ１であって、汎用パーソナルコンピュータ２に電気的に接続可能な接続手段（ＵＳＢ端子４２等）と、接続手段に接続された汎用パーソナルコンピュータ２に自己をメモリ装置として認識させる認識手段（ＣＰＵ３３、図４のメイン処理ルーチン等）と、複数種類のドライバ・ソフトウェアを記憶するドライバ記憶手段（ＲＡＭ３５等）と、接続手段に接続された汎用パーソナルコンピュータにおいて、ドライバ記憶手段が記憶する複数種類のドライバ・ソフトウェアのいずれかを選択させるプログラムを実行させるドライバ選択実行手段（ＣＰＵ３３、図５のドライバインストール処理ルーチン等）と、選択されたドライバ・ソフトウェアを汎用パーソナルコンピュータ２に導入させる導入手段（ＣＰＵ３３、図５のドライバインストール処理ルーチン等）と、セキュリティに関する複数種類のプロファイルを記憶するプロファイル記憶手段（ＲＡＭ３５等）と、接続手段に接続され、ドライバ・ソフトウェアが導入された汎用パーソナルコンピュータ２において、プロファイル記憶手段が記憶する複数種類のプロファイルのいずれかを選択させるプログラムを実行させるプロファイル選択実行手段（ＣＰＵ３３、図６のプロファイル設定処理ルーチン等）と、選択されたプロファイルを汎用パーソナルコンピュータ２に設定する設定手段（ＣＰＵ３３、図６のプロファイル設定処理ルーチン等）と、を有する構成にされている。
【００５１】
上記の構成によれば、複数種類のドライバ・ソフトウェアのうち、ユーザが選択したドライバ・ソフトウェアが汎用パーソナルコンピュータ２に導入されるから、最適なドライバ・ソフトウェアを選択して汎用パーソナルコンピュータ２にインストールさせることができる。また、複数種類のプロファイルのうち、ユーザが選択したプロファイルが汎用パーソナルコンピュータ２に設定されるから、ユーザが個別にＩＤやパスワードなどを入力してプロファイルを設定する必要がない。これにより、利便性を向上させることができる。
【００５２】
また、本実施の形態の無線アダプタ１においては、任意のプロファイルを格納可能な格納手段（ＲＡＭ３５等）と、設定手段が汎用パーソナルコンピュータ２に設定したプロファイルを格納手段に格納させる格納制御手段（ＣＰＵ３３、図６のプロファイル設定処理ルーチン等）と、を更に有し、プロファイル選択実行手段は、格納手段が格納するプロファイルと、複数種類のプロファイルのいずれかとのどちらかを選択させるプログラムを汎用パーソナルコンピュータ２において実行させる構成にされている。上記の構成によれば、前回、汎用パーソナルコンピュータ２に設定されたプロファイルが格納手段に格納され、次回のプロファイルの選択時に、格納手段が格納するプロファイルが選択可能となる。これにより、前回と同じプロファイルを設定する場合に、その選択が容易となるから、更に利便性を向上させることができる。
【００５３】
また、本実施の形態の無線アダプタ１においては、所定の条件に基づいて、プロファイル記憶手段が記憶する複数種類のプロファイルに優先順位を設定する順位設定手段（ＣＰＵ３３等）を更に有し、プロファイル選択実行手段は、順位設定手段が設定した優先順位において上位に位置するプロファイルが優先的に選択されるようにするプログラムを汎用パーソナルコンピュータ２において実行させる構成にされている。上記の構成によれば、所定の条件に基づいて、複数種類のプロファイルに優先順位が設定され、優先順位において上位に位置するプロファイルが優先的に選択されるようにされる。例えば、利用頻度が高い順に優先順位が設定され、利用頻度が高いプロファイルが優先的に選択されるようにされると、プロファイルの選択が容易となる場合があるから、更に利便性を向上させることができる。
【００５４】
（本実施の形態の変形例）
以上、本発明の実施例を説明したが、具体例を例示したに過ぎず、特に本発明を限定するものではなく、具体的構成などは、適宜設計変更可能である。また、発明の実施の形態に記載された、作用及び効果は、本発明から生じる最も好適な作用及び効果を列挙したに過ぎず、本発明による作用及び効果は、本発明の実施の形態に記載されたものに限定されるものではない。
【００５５】
例えば、本実施の形態において、複数種類のプロファイルに利用頻度に基づいた優先順位が設定される構成にされているが、この構成に限定されるものではなく、複数種類のドライバ・ソフトウェアに利用頻度に基づいた優先順位が設定される構成にされていてもよい。
【図面の簡単な説明】
【００５６】
【図１】無線アダプタの機械的構成を示す図。
【図２】汎用パーソナルコンピュータの表示状態を示す図。
【図３】無線アダプタの電気的構成を示す図。
【図４】メイン処理ルーチンを示す図。
【図５】ドライバインストール処理ルーチンを示す図。
【図６】プロファイル設定処理ルーチンを示す図。
【図７】バッファ処理ルーチンを示す図。
【符号の説明】
【００５７】
１    無線アダプタ
２    汎用パーソナルコンピュータ
３３    ＣＰＵ
３５    ＲＡＭ
４２    ＵＳＢ端子
【図１】
2010072724.tif 000003
【図２】
2010072724.tif 000004
【図３】
2010072724.tif 000005
【図４】
2010072724.tif 000006
【図５】
2010072724.tif 000007
【図６】
2010072724.tif 000008
【図７】
2010072724.tif 000009